(57)【要約】【課題】蓄熱槽の小型化を図りながら、浴槽の湯張り状態を目標湯張り状態とすることができる風呂装置の提供。【解決手段】蓄熱槽１の蓄熱水Ａ１を用いて温水を浴槽２２に供給する温水供給作動を行う温水供給手段４９と、浴槽２２の湯張り状態が目標湯張り状態となるように温水供給手段４９を温水供給作動させる湯張り運転を行う運転制御装置４８とが設けられ、運転制御装置４８は、湯張り運転を行うよりも先行して、浴槽２２の湯張り状態が目標湯張り状態に達する前の先行湯張り状態になるように温水供給手段４９を温水供給作動させる先行湯張り運転を行うように構成されている。【選択図】図３
2008241126.tif 000002
【特許請求の範囲】
【請求項１】
蓄熱水を貯留する蓄熱槽と、前記蓄熱槽の蓄熱水を用いて温水を浴槽に供給する温水供給作動を行う温水供給手段と、前記浴槽の湯張り状態が目標湯張り状態となるように前記温水供給手段を温水供給作動させる湯張り運転を行う運転制御手段とが設けられている風呂装置であって、
前記運転制御手段は、前記湯張り運転を行うよりも先行して、前記浴槽の湯張り状態が前記目標湯張り状態に達する前の先行湯張り状態になるように前記温水供給手段を温水供給作動させる先行湯張り運転を行うように構成されている風呂装置。
【請求項２】
前記蓄熱槽から取り出した蓄熱水を循環路にて循環させて前記蓄熱槽に戻す蓄熱水循環手段と、前記循環路を通流する蓄熱水を熱電併給装置の排熱を搬送する排熱搬送流体にて加熱する排熱熱交換器とが設けられ、
前記運転制御手段が、前記熱電併給装置の排熱を前記蓄熱槽に蓄熱すべく、前記熱電併給装置及び前記蓄熱水循環手段を作動させる蓄熱運転を行うように構成されている請求項１に記載の風呂装置。
【請求項３】
前記運転制御手段が、時系列的な電力負荷及び時系列的な熱負荷を管理し、時系列的な電力負荷及び時系列的な熱負荷に基づいて前記蓄熱運転を行うとともに、前記蓄熱運転を行うことが予測される時間帯の以前に前記先行湯張り運転を行うように構成されている請求項２に記載の風呂装置。
【請求項４】
前記運転制御手段が、前記先行湯張り運転を行ってから前記湯張り運転を行うまでの間に前記蓄熱運転を行うように構成されている請求項２又は３に記載の風呂装置。
【請求項５】
前記温水供給手段が、前記温水供給作動として、温水用熱交換器において前記蓄熱槽の蓄熱水にて給水を加熱してその加熱した給水を前記浴槽に供給する湯張り作動、及び、追焚き用熱交換器において前記蓄熱槽の蓄熱水にて浴槽水循環手段により前記浴槽との間で循環される浴槽水を加熱する追焚き作動を行うように構成されている請求項１〜４の何れか１項に記載の風呂装置。
【請求項６】
前記先行湯張り状態が、前記目標湯張り状態に対して浴槽水の温度が低温となるように設定され、
前記運転制御手段が、前記先行湯張り運転においては、前記温水供給手段を前記湯張り作動及び前記追焚き作動させ、且つ、前記湯張り運転においては、前記温水供給手段を前記追焚き作動させるように構成されている請求項５に記載の風呂装置。
【発明の詳細な説明】
【技術分野】
【０００１】
本発明は、蓄熱水を貯留する蓄熱槽と、前記蓄熱槽の蓄熱水を用いて温水を浴槽に供給する温水供給作動を行う温水供給手段と、前記浴槽の湯張り状態が目標湯張り状態となるように前記温水供給手段を温水供給作動させる湯張り運転を行う運転制御手段とが設けられている風呂装置に関する。
【背景技術】
【０００２】
上記のような風呂装置は、運転制御手段が湯張り運転を行うことにより、温水用熱交換器において蓄熱槽の蓄熱水にて給水を加熱してその加熱した給水を浴槽に供給したり、又は、追焚き用熱交換器において蓄熱槽の蓄熱水にて浴槽に貯留している浴槽水を加熱してその加熱した浴槽水を浴槽に戻して、浴槽の湯張り状態を目標湯張り状態としている。目標湯張り状態は、温度と貯留量とから定められ、浴槽に湯張り設定温度の温水を湯張り設定量貯めた状態を目標湯張り状態としている。
このように、蓄熱槽に蓄熱した熱を用いているので、蓄熱槽に蓄熱しておくことが必要である。
そこで、従来の風呂装置では、蓄熱槽から取り出した蓄熱水を循環路にて循環させて蓄熱槽に戻す蓄熱水循環手段と、循環路を通流する蓄熱水を熱電併給装置の排熱を搬送する排熱搬送流体にて加熱する排熱熱交換器とが設けられ、運転制御手段が、熱電併給装置及び蓄熱水循環手段を作動させる蓄熱運転を行うことにより熱電併給装置の排熱を蓄熱槽に蓄熱している。
運転制御手段は、過去の熱負荷に基づいて将来の熱負荷を演算して、運転当日のどの時間帯にどれだけの熱負荷があるかの予測熱負荷を求めており、その予測熱負荷に基づいて、運転当日の熱負荷を賄えるように蓄熱運転を行っている（例えば、特許文献１参照。）。
【０００３】
【特許文献１】特開２００５−７６８９２号公報
【発明の開示】
【発明が解決しようとする課題】
【０００４】
上記従来の風呂装置では、運転制御手段が、予測熱負荷に基づいて、運転当日の熱負荷を賄えるように蓄熱運転を行っているので、浴槽の湯張り状態を目標湯張り状態とする為に必要となる熱量の全量を予め蓄熱槽に蓄熱している。湯張り運転では、浴槽が空の状態であっても浴槽の湯張り状態を目標湯張り状態にできることが求められるので、浴槽の湯張り状態を目標湯張り状態とする為に必要となる熱量が大きなものとなっている。その為に、浴槽の湯張り状態を目標湯張り状態とする為に必要となる熱量の全量を予め蓄熱槽に蓄熱しておくと、それだけ容量の大きな蓄熱槽が必要となって、蓄熱槽の大型化を招くことになる。
例えば、浴槽に４２℃の温水を約１８０リットル貯留した状態を目標湯張り状態とした場合には、通常、湯張り運転を行う為の熱量に加えて、その後にシャワー等の給湯に使用される熱量をも蓄熱槽に蓄熱しておくことになり、７０℃の蓄熱水を１４０〜１５０リットル貯留できるだけの容量の大きな蓄熱槽が必要となっていた。
【０００５】
本発明は、かかる点に着目してなされたものであり、その目的は、蓄熱槽の小型化を図りながら、浴槽の湯張り状態を目標湯張り状態とすることができる風呂装置を提供する点にある。
【課題を解決するための手段】
【０００６】
この目的を達成するために、本発明に係る風呂装置の第１特徴構成は、蓄熱水を貯留する蓄熱槽と、前記蓄熱槽の蓄熱水を用いて温水を浴槽に供給する温水供給作動を行う温水供給手段と、前記浴槽の湯張り状態が目標湯張り状態となるように前記温水供給手段を温水供給作動させる湯張り運転を行う運転制御手段とが設けられている風呂装置において、前記運転制御手段は、前記湯張り運転を行うよりも先行して、前記浴槽の湯張り状態が前記目標湯張り状態に達する前の先行湯張り状態になるように前記温水供給手段を温水供給作動させる先行湯張り運転を行うように構成されている点にある。
【０００７】
すなわち、運転制御手段は、まず先行湯張り運転を行うことにより、浴槽の湯張り状態を先行湯張り状態とし、その後湯張り運転を行うことにより、浴槽の湯張り状態を目標湯張り状態とすることができる。このように、湯張り運転を行うよりも先行して、浴槽の湯張り状態を先行湯張り状態としておくことによって、浴槽の湯張り状態を目標湯張り状態とする為に必要となる熱量の一部を浴槽に貯めておくことができ、浴槽を蓄熱槽として用いることができる。蓄熱槽には、先行湯張り状態から目標湯張り状態にする為の熱量だけを貯めておけばよく、蓄熱槽として必要な容量を極力小さくできる。
したがって、蓄熱槽の小型化を図りながら、浴槽の湯張り状態を目標湯張り状態とすることができる風呂装置を提供できるに至った。
【０００８】
本発明に係る風呂装置の第２特徴構成は、前記蓄熱槽から取り出した蓄熱水を循環路にて循環させて前記蓄熱槽に戻す蓄熱水循環手段と、前記循環路を通流する蓄熱水を熱電併給装置の排熱を搬送する排熱搬送流体にて加熱する排熱熱交換器とが設けられ、前記運転制御手段が、前記熱電併給装置の排熱を前記蓄熱槽に蓄熱すべく、前記熱電併給装置及び前記蓄熱水循環手段を作動させる蓄熱運転を行うように構成されている点にある。
【０００９】
すなわち、運転制御手段が蓄熱運転を行うと、蓄熱槽から取り出された蓄熱水が排熱熱交換器にて加熱されて蓄熱槽に戻されるので、熱電併給装置の排熱を用いて蓄熱槽に蓄熱できる。蓄熱槽に蓄熱された熱は、浴槽の湯張り状態を目標湯張り状態とする為に用いられるので、熱電併給装置の排熱を有効に活用して、エネルギー効率の向上を図ることができる。
【００１０】
本発明に係る風呂装置の第３特徴構成は、前記運転制御手段が、時系列的な電力負荷及び時系列的な熱負荷を管理し、時系列的な電力負荷及び時系列的な熱負荷に基づいて前記蓄熱運転を行うとともに、前記蓄熱運転を行うことが予測される時間帯の以前に前記先行湯張り運転を行うように構成されている点にある。
【００１１】
すなわち、運転制御手段が、時系列的な電力負荷及び時系列的な熱負荷に基づいて蓄熱運転を行うことにより、時系列的な電力負荷及び時系列的な熱負荷に対応して熱電併給装置にて熱と電力とを発生させ、その熱と電力とを有効に活用してエネルギー効率の向上を図ることができる。
蓄熱槽の蓄熱量が多い場合には、蓄熱運転を行っても直ぐに蓄熱槽の蓄熱量が満杯になってしまい、蓄熱運転を行うことによって蓄熱槽に蓄熱できる熱量が少量となってしまう虞がある。したがって、蓄熱運転を行っても熱電併給装置の排熱を十分に蓄熱することができず、エネルギー効率の面で不利になる。また、蓄熱槽の蓄熱量が多い場合には、蓄熱槽の蓄熱量が満杯になることにより蓄熱運転を終了すると、蓄熱運転の運転時間が短くなり、熱電併給装置の作動時間が短くなってしまい、この点からもエネルギー効率の面で不利になる。
そこで、運転制御手段は、蓄熱運転を行うことが予測される時間帯の以前に先行湯張り運転を行うことにより、蓄熱槽の熱を用いて浴槽に温水を供給して蓄熱槽の蓄熱量を低下させ、その後の蓄熱運転を行うときに蓄熱槽の蓄熱量が少なくなるようにしている。したがって、蓄熱運転を行うことにより多量の熱を蓄熱槽に蓄熱することができ、しかも、熱電併給装置の作動時間をより長くすることができ、さらなるエネルギー効率向上を図ることができる。
【００１２】
本発明に係る風呂装置の第４特徴構成は、前記運転制御手段が、前記先行湯張り運転を行ってから前記湯張り運転を行うまでの間に前記蓄熱運転を行うように構成されている点にある。
【００１３】
すなわち、運転制御手段が、先行湯張り運転を行ってから湯張り運転を行うまでの間に蓄熱運転を行うことにより、先行湯張り運転を行ってから湯張り運転を行うまでの間、熱電併給装置の排熱を蓄熱槽に蓄熱することができる。したがって、湯張り運転を行うときには、蓄熱槽に十分な熱量を蓄熱させておくことができ、湯張り運転を的確に行うことができるとともに、余った熱を用いてシャワー等の給湯を行うこともでき、蓄熱槽を活用しながら熱電併給装置の排熱を有効に活用することができる。
【００１４】
本発明に係る風呂装置の第５特徴構成は、前記温水供給手段が、前記温水供給作動として、温水用熱交換器において前記蓄熱槽の蓄熱水にて水を加熱してその加熱した水を前記浴槽に供給する湯張り作動、及び、追焚き用熱交換器において前記蓄熱槽の蓄熱水にて浴槽水循環手段により前記浴槽との間で循環される浴槽水を加熱する追焚き作動を行うように構成されている点にある。
【００１５】
すなわち、温水供給手段が湯張り作動を行うことにより、温水用熱交換器にて水を所望温度に加熱してその所望温度の温水を浴槽に供給して、浴槽の湯張りを行うことができる。温水供給手段が追焚き作動を行うことにより、追焚き用熱交換器にて加熱された浴槽水を浴槽に戻すことにより浴槽水を所望温度に加熱して、浴槽水の追焚きを行うことができる。
先行湯張り状態又は目標湯張り状態に対して貯留量が満たされていないときには、温水供給手段が湯張り作動を行うことにより、浴槽の湯張り状態を先行湯張り状態又は目標湯張り状態とすることができる。先行湯張り状態又は目標湯張り状態に対して貯留量は満たされているが温度は満たされていないときには、温水供給手段が追焚き作動を行うことにより、浴槽の湯張り状態を先行湯張り状態又は目標湯張り状態とすることができる。このように、浴槽の浴槽水の状態に応じて温水供給手段が湯張り作動又は追焚き作動を行うことにより、浴槽の湯張り状態を先行湯張り状態及び目標湯張り状態の夫々に確実にすることができ、先行湯張り運転及び湯張り運転の夫々を確実に行うことができる。
【００１６】
本発明に係る風呂装置の第６特徴構成は、前記先行湯張り状態が、前記目標湯張り状態に対して浴槽水の温度が低温となるように設定され、前記運転制御手段が、前記先行湯張り運転においては、前記温水供給手段を前記湯張り作動及び前記追焚き作動させ、且つ、前記湯張り運転においては、前記温水供給手段を前記追焚き作動させるように構成されている点にある。
【００１７】
すなわち、先行湯張り状態が、目標湯張り状態に対して浴槽水の温度が低温となるように設定されているので、浴槽の湯張り状態が先行湯張り状態となったときに浴槽水の温度と浴槽の雰囲気温度との温度差を極力小さくすることができる。したがって、浴槽の湯張り状態が先行湯張り状態となってから湯張り運転を行うまでの間において、浴槽水の温度低下を極力小さくすることができ、浴槽での放熱を極力抑えることができる。
【発明を実施するための最良の形態】
【００１８】
本発明に係る風呂装置の実施形態を図面に基づいて説明する。
この風呂装置は、図１、図３〜図７、図９〜図１１に示すように、蓄熱水Ａ１としての水を貯留する蓄熱槽１と、その蓄熱槽１から取り出した蓄熱水Ａ１を循環路２にて循環させて蓄熱槽１に戻す蓄熱水循環手段３とが設けられている。
図１、図３〜図７、図９〜図１１では、流体の通流状態を太線及び矢印にて示している。そして、図１、図３〜図７、図９〜図１１は、流体が通流する部分が異なるだけでその他の構成については同様の構成を示している。
【００１９】
循環路２には、熱電併給装置４の排熱を搬送する排熱搬送流体にて循環路２を通流する蓄熱水Ａ１を加熱する排熱熱交換器５、及び、その排熱熱交換器５を通過した後の蓄熱水Ａ１を放熱させる放熱用熱交換器６が設けられている。
【００２０】
熱電併給装置４は、例えば、都市ガスを燃料とするガスエンジンや燃料電池を備えたものであり、排熱搬送流体としての冷却水Ａ２がガスエンジンや燃料電池での排熱を回収するように構成されている。排熱熱交換器５と熱電併給装置４との間で冷却水Ａ２を循環する冷却水循環路７が設けられ、この冷却水循環路７に冷却水循環ポンプ８が設けられている。
冷却水循環路７には、熱電併給装置４から排熱熱交換器５に供給する冷却水Ａ２の温度を検出する冷却水往き温度センサ９、熱電併給装置４から排熱熱交換器５に供給する冷却水Ａ２の流量を検出する冷却水流量センサ１０、及び、排熱熱交換器５から熱電併給装置４に戻す冷却水Ａ２の温度を検出する冷却水戻り温度センサ１１が設けられている。
【００２１】
蓄熱槽１は、貯留する蓄熱水Ａ１の上面よりも高い位置に大気に通じる開口を有する大気開放型に構成されている。図示は省略するが、蓄熱槽１に蓄熱水Ａ１を補給するために補給路及び補給弁が設けられ、下限水位センサにて蓄熱水Ａ１の水位が下限水位未満になったことを検出すると、補給弁を開弁して補給路にて蓄熱槽１に蓄熱水Ａ１を補給する。そして、上限水位センサにて蓄熱水Ａ１の水位が上限水位になったことを検出すると、補給弁を閉弁して補給路にて蓄熱槽１への蓄熱水Ａ１の補給を停止する。
【００２２】
循環路２は、蓄熱槽１の上部及び下部に接続されており、蓄熱水循環手段３は、蓄熱槽１の上部から蓄熱水Ａ１を取り出して蓄熱槽１の下部に蓄熱水Ａ１を戻すように構成されている。
蓄熱槽１から循環路２に取り出した蓄熱水Ａ１を排熱熱交換器５をバイパスさせて放熱用熱交換器６に通流させる排熱熱交換器バイパス路１３が設けられている。この排熱熱交換器バイパス路１３には、蓄熱水Ａ１を通流させるか否か及びその流量を調整可能なバイパス路調整弁１８が設けられている。
【００２３】
蓄熱水循環手段３は、蓄熱水循環ポンプ１２及びバイパス路調整弁１８を備えて構成されている。蓄熱水循環手段３は、蓄熱槽１から取り出した蓄熱水Ａ１の全量を排熱熱交換器５に通流させる形態で蓄熱水Ａ１を循環させる全通流状態（例えば図３の太線部）と、蓄熱槽１から取り出した蓄熱水Ａ１の一部を排熱熱交換器バイパス路１３に通流させる形態で蓄熱水Ａ１を循環させる一部通流状態（例えば図５の太線部）とに切換自在に構成されている。つまり、蓄熱水循環手段３は、バイパス路調整弁１８を閉弁した状態で蓄熱水循環ポンプ１２を作動させることにより、全通流状態に切り換える。また、蓄熱水循環手段３は、バイパス路調整弁１８を開弁した状態で蓄熱水循環ポンプ１２を作動させることにより、一部通流状態に切り換える。
【００２４】
排熱熱交換器バイパス路１３には、通流する蓄熱水Ａ１を加熱する加熱作動を実行可能な補助加熱手段１４が設けられている。補助加熱手段１４は、ガスバーナ１５を燃焼させて蓄熱水Ａ１を加熱するように構成されている。ガスバーナ１５に都市ガス等の燃料ガスを供給する燃料ガス供給路１６には、ガスバーナ１５に燃料ガスを供給するか否か及びその燃料ガス供給量を調整自在な燃料ガス調整弁１７が設けられている。補助加熱手段１４は、燃料ガス調整弁１７を開弁してガスバーナ１５を燃焼させることにより加熱作動を実行可能に構成されている。
【００２５】
循環路２には、蓄熱水Ａ１の通流方向の上流側から、蓄熱槽１から取り出す蓄熱水Ａ１の温度を検出する第１蓄熱水温度センサ２５、排熱熱交換器バイパス路１３との接続箇所に通流する蓄熱水Ａ１の温度を検出する第２蓄熱水温度センサ２６、蓄熱水循環ポンプ１２、排熱熱交換器５に通流する蓄熱水Ａ１の流量を調整自在な第１蓄熱水流量調整弁２７、排熱熱交換器５、放熱用熱交換器６としての追焚き用熱交換器２３、追焚き用熱交換器２３を通過した後の蓄熱水Ａ１の温度を検出する第３蓄熱水温度センサ２８、放熱用熱交換器６としての給湯用熱交換器２１、給湯用熱交換器２１を通過する蓄熱水Ａ１の流量を検出する蓄熱水流量センサ２９、給湯用熱交換器２１を通過する蓄熱水Ａ１の流量を調整自在な第２蓄熱水流量調整弁３０が設けられている。
【００２６】
給湯用熱交換器２１は、給水路１９から供給されて給湯路２０に供給する給湯用の給水Ａ３を蓄熱水Ａ１の放熱対象とするように構成されている。給水路１９には、給湯用熱交換器２１に供給する給水温度を検出する給水温度センサ３１が設けられている。給湯路２０には、給湯用の給水Ａ３の通流方向において上流側から、給湯用熱交換器２１を通過する給湯用の給水Ａ３の流量を調整自在な給湯流量調整弁３２、給湯用熱交換器２１を通過した後の給湯用の給水Ａ３の温度を検出する出口温度センサ３３、給湯路２０にて給湯する給湯量を検出する給湯量センサ３４、及び、給湯路２０にて給湯する給湯温度を検出する給湯温度センサ３５が設けられている。
また、給水路１９からの給湯用の給水Ａ３を給湯用熱交換器２１をバイパスして給湯路２０に供給する給湯用バイパス路３６が設けられ、その給湯用バイパス路３６を通流する給水Ａ３の流量を調整自在なバイパス流量調整弁３７が設けられている。
このようにして、給湯用熱交換器２１にて加熱された給湯用の給水Ａ３と給湯用バイパス路２６からの給湯用の給水Ａ３とを混合させて給湯路２０にて給湯するように構成されている。
【００２７】
追焚き用熱交換器２３は、追焚き用熱交換器２３を通過した後の蓄熱水Ａ１が給湯用熱交換器２１に通流するように給湯用熱交換器２１と直列状態で設けられている。追焚き用熱交換器２３は、浴槽２２との間で浴槽水Ａ４を蓄熱水Ａ１の放熱対象とするように構成されている。
浴槽２２と追焚き用熱交換器２３との間で浴槽水Ａ４を循環する浴槽水循環路３８が設けられている。この浴槽水循環路３８には、浴槽水Ａ４の貯留量を検出する水位センサ５２、浴槽２２から追焚き用熱交換器２３に供給する浴槽水Ａ４の温度を検出する浴槽水温度センサ３９、及び、浴槽水循環ポンプ４０が設けられている。
給湯路２０から分岐して浴槽２２に温水を供給する湯張り路５０が設けられている。湯張り路５０は、浴槽水循環路３８に接続されており、浴槽水循環路３８を用いて浴槽２２に温水を供給するように設けられている。湯張り路５０には、浴槽２２への温水の供給を断続する湯張り弁５１が設けられている。
【００２８】
蓄熱槽１の蓄熱水Ａ１を用いて温水を浴槽２２に供給する温水供給作動を行う温水供給手段４９が設けられている。この温水供給手段４９は、給湯用熱交換器２１、給水路１９、給湯路２０、湯張り路５０、追焚き用熱交換器２３、浴槽水循環路３８、浴槽水循環ポンプ４０等から構成されている。給湯用熱交換器２１が温水用熱交換器に相当する。浴槽水循環路３８及び浴槽水循環ポンプ４０が浴槽水循環手段に相当する。
温水供給手段４９は、蓄熱槽１の蓄熱水Ａ１を用いて温水を浴槽２２に供給する温水供給作動を行う。温水供給手段４９は、温水供給作動として、給湯用熱交換器２１において蓄熱槽１の蓄熱水Ａ１にて給水Ａ３を加熱してその加熱した給水Ａ３を浴槽２２に供給する湯張り作動（例えば図３の太線部）、及び、追焚き用熱交換器２３において蓄熱槽１の蓄熱水Ａ１にて浴槽水循環路３８及び浴槽水循環ポンプ４０により浴槽２２との間で循環される浴槽水Ａ４を加熱する追焚き作動（例えば図４の太線部）を行うように構成されている。
【００２９】
湯張り作動では、温水供給手段４９が湯張り弁５１を開弁することにより、給湯用熱交換器２１において蓄熱水Ａ１にて加熱された給水Ａ３を給湯路２０から湯張り路５０、浴槽水循環路３８の順に通流させて浴槽２２に供給するようにしている。
追焚き作動では、温水供給手段４９が浴槽水循環ポンプ４０を作動させることにより、浴槽水Ａ４を浴槽水循環路３８にて浴槽２２と追焚き用熱交換器２３との間で循環させて追焚き用熱交換器２３において蓄熱水Ａ１にて加熱された浴槽水Ａ４を浴槽２２に供給するようにしている。
【００３０】
放熱用熱交換器６としては、給湯用熱交換器２１及び追焚き用熱交換器２３に加えて、暖房対象空間の室内空気を放熱対象とする暖房用放熱器２４が設けられている。この暖房用放熱器２４は、例えば床暖房パネルであり、浴室暖房装置等も適応可能である。
暖房用放熱器２４は、給湯用熱交換器２１及び追焚き用熱交換器２３と並列状態で設けられている。つまり、循環路２において給湯用熱交換器２１及び追焚き用熱交換器２３が設けられた部分とは並列状態で暖房用通流路４１が設けられ、この暖房用通流路４１に暖房用放熱器２４が設けられている。暖房用通流路４１は、排熱熱交換器バイパス路１３の途中部分から分岐して循環路２に合流するように設けられ、排熱熱交換器バイパス路１３の一部を兼用している。
暖房用通流路４１には、蓄熱水Ａ１の通流方向の上流側から、暖房用放熱器２４に供給する蓄熱水Ａ１の温度を検出する暖房往き温度センサ４２、暖房用放熱器２４に蓄熱水Ａ１を供給するか否かを調整自在な熱動弁４３、及び、蓄熱水Ａ１の逆流を防止する暖房用逆止弁４４が設けられている。
【００３１】
循環路２において蓄熱槽１の下部に蓄熱水Ａ１を戻す戻し部分２ａと蓄熱槽１の上部から蓄熱水Ａ１を取り出す取り出し部分２ｂとを接続する蓄熱槽バイパス路４５が設けられている。蓄熱槽バイパス路４５には、通流する蓄熱水Ａ１の温度を検出するバイパス温度センサ４６、及び、蓄熱槽バイパス路４５に蓄熱水Ａ１を通流させるか否かを調整自在な蓄熱水戻し調整弁４７が設けられている。そして、蓄熱水戻し調整弁４７を開弁させることにより、放熱用熱交換器６を通過した後の蓄熱水Ａ１の少なくとも一部を蓄熱槽バイパス路４５に通流させるように構成されている。
【００３２】
この風呂装置の運転を制御する運転制御手段としての運転制御装置４８が設けられている。運転制御装置４８は、冷却水Ａ２にて搬送される熱電併給装置４の排熱を蓄熱槽１に蓄熱すべく、熱電併給装置４及び蓄熱水循環手段３を作動させる蓄熱運転を行うように構成されている。運転制御装置４８は、時系列的な電力負荷及び時系列的な熱負荷を管理し、時系列的な電力負荷及び時系列的な熱負荷に基づいて蓄熱運転を行うように構成されている。運転制御装置４８は、現在要求されている電力負荷に応じて熱電併給装置４を作動させて蓄熱運転を行うように構成されている。
【００３３】
時系列的な電力負荷及び時系列的な熱負荷の管理については、運転制御装置４８が、例えば、図２に示すように、１日の各時間帯（１時間ごと）の電力負荷及び熱負荷に区分けした状態で時系列的な電力負荷及び時系列的な熱負荷を管理している。運転制御装置４８は、実際に使用された１日の各時間帯（１時間ごと）の電力負荷及び熱負荷に基づいて、既に記憶している１日の各時間帯（１時間ごと）の電力負荷及び熱負荷を更新して、１日の各時間帯（１時間ごと）の電力負荷及び熱負荷を学習するように構成されている。
電力負荷については、例えば、運転制御装置４８が、熱電併給装置４の電力を出力するインバータの出力値、及び、テレビ、冷蔵庫、洗濯機等の電力負荷に接続された商業用電力供給ラインに設けられた電力計測手段の計測情報に基づいて、実際に使用された電力負荷を求めることができる。
熱負荷は、給湯路２０からの給湯として用いられる給湯熱負荷と、浴槽水Ａ４の追焚きに用いられる追焚き熱負荷と、暖房用放熱器２４にて用いられる暖房熱負荷とを足し合わせたものである。熱負荷については、例えば、運転制御装置４８が、給湯量センサ３４及び給湯温度センサ３５の夫々の検出情報等により給湯熱負荷を求めることができ、浴槽水温度センサ３９の検出情報及び浴槽水循環ポンプ４０の作動状態等により追焚き熱負荷を求めることができ、暖房往き温度センサ３９の検出情報及び蓄熱水循環ポンプ８の作動状態等により暖房熱負荷を求めることができる。
【００３４】
（蓄熱運転）
図１に基づいて蓄熱運転について説明する。
運転制御装置４８は、熱電併給装置４を作動させ且つ冷却水循環ポンプ８を作動させて、排熱熱交換器５に冷却水Ａ２を通流させるように構成されている。運転制御装置４８は、第１蓄熱水流量調整弁２７及び第２蓄熱水流量調整弁３０を開弁させ且つバイパス路調整弁１８を閉弁した状態で蓄熱水循環ポンプ８を作動させることにより、蓄熱水循環手段３を全通流状態にて作動させるように構成されている。運転制御装置４８は、冷却水戻り温度センサ１１の検出温度が設定温度範囲内になるように、第１蓄熱水流量調整弁２７の開度を調整して排熱熱交換器５に通流する蓄熱水Ａ１の流量を調整する蓄熱水流量調整制御を行うように構成されている。
このようにして、蓄熱槽１の上部から取り出された蓄熱水Ａ１の全量が排熱熱交換器５にて加熱されて蓄熱槽１の下部に戻される。その加熱された蓄熱水Ａ１によって、蓄熱槽１に貯留された蓄熱水Ａ１を全体的に温度上昇させて蓄熱槽１に蓄熱する。
【００３５】
図３及び図４に示すように、運転制御装置４８が蓄熱運転を行うことにより、熱電併給装置４の排熱を蓄熱槽１に蓄熱するのであるが、運転制御装置４８は、その蓄熱槽１に貯留された熱を用いて浴槽２２の湯張り状態が目標湯張り状態となるように、蓄熱水循環手段３を作動させ且つ温水供給手段４９を温水供給作動させている。つまり、運転制御装置４８は、浴槽２２の湯張り状態が目標湯張り状態となるように、蓄熱水循環手段３を作動させ且つ温水供給手段４９を温水供給作動させる湯張り運転を行い、その湯張り運転を行うよりも先行して、浴槽の湯張り状態が目標湯張り状態に達する前の先行湯張り状態になるように温水供給手段４９を温水供給作動させる先行湯張り運転を行うように構成されている。
【００３６】
目標湯張り状態及び先行湯張り状態は、温度と貯留量とから定められている。目標湯張り温度は、浴槽に湯張り設定温度（例えば４２℃）の温水を湯張り設定量（例えば約１８０リットル）貯めた状態を目標湯張り状態としている。先行湯張り状態は、目標湯張り状態に対して浴槽水Ａ４の貯留量が同量（例えば１８０リットル）で且つ目標湯張り状態に対して浴槽水Ａ４の温度が低温の先行湯張り設定温度（例えば３５℃）となるように設定されている。先行湯張り設定温度は、例えば、２０〜３５℃に設定されている。
先行湯張り状態において、浴槽水Ａ４の貯留量については、目標湯張り状態に対して入浴に必要な許容範囲内の貯留量であればよく、浴槽水Ａ４の貯留量は目標湯張り状態に対して同量とするものに限らない。目標湯張り状態に対して浴槽水Ａ４の貯留量を同量や目標湯張り状態に対して入浴に必要な許容範囲内とすることにより、浴槽水Ａ４の貯留量については、先行湯張り運転を行うことにより入浴に必要な貯湯量を確保できることになる。したがって、運転制御装置４８は、湯張り運転においては、単に、温水供給手段４９を追焚き作動させるだけでよく、制御構成の簡素化を図ることができる。しかも、湯張り運転では、先行湯張り状態から目標湯張り状態を満たすように浴槽水Ａ４の温度を上昇させればよいので、湯張り運転を行う為に必要となる熱量を極力少なくでき、蓄熱槽１の小型化を図る際にも有効となる。
【００３７】
運転制御装置４８は、まず先行湯張り運転を行うことにより、浴槽２２の湯張り状態を先行湯張り状態とし、その後湯張り運転を行うことにより、浴槽２２の湯張り状態を目標湯張り状態とすることができる。このように、湯張り運転を行うよりも先行して、浴槽２２の湯張り状態を先行湯張り状態としておくことによって、浴槽２２の湯張り状態を目標湯張り状態とする為に必要となる熱量の一部を浴槽に貯めておくことができ、浴槽２２を蓄熱槽として用いることができる。
【００３８】
図３〜図７に基づいて先行湯張り運転及び湯張り運転について説明する。
（先行湯張り運転）
運転制御装置４８は、先行湯張り運転においては、温水供給手段４９を湯張り作動（例えば図３の太線部）及び追焚き作動（例えば図４の太線部）させ、且つ、湯張り運転においては、温水供給手段４９を追焚き作動（例えば図４の太線部）させるように構成されている。
運転制御装置４８は、先行湯張り運転において、先行湯張り状態に対して貯留量が満たないときに温水供給手段４９を湯張り作動（例えば図３の太線部）させ、先行湯張り状態に対して貯留量は満たしているが温度が満たしていないときに温水供給手段４９を追焚き作動（例えば図４の太線部）させるように構成されている。
【００３９】
図３及び図４は、熱電併給装置４を作動させていない状態での先行湯張り運転を示している。
図３では、温水供給手段４９を湯張り作動させた場合を示している。
運転制御装置４８は、蓄熱水循環手段３を全通流状態にて作動させるとともに、出口温度センサ３３の検出温度が先行湯張り設定温度（例えば３５℃）＋αになるように、蓄熱水流量センサ２９の検出流量に基づいて第２蓄熱水流量調整弁３０の開度を調整する風呂給湯温度用蓄熱水流量制御を行うように構成されている。運転制御装置４８は、給湯量センサ３４の検出流量が要求されている流量となり且つ給湯温度センサ３５の検出温度が先行湯張り設定温度（例えば３５℃）になるように、給湯流量調整弁３２及びバイパス流量調整弁３７の開度を調整する風呂給湯制御を行うように構成されている。運転制御装置４８は、湯張り弁５１を開弁することにより、給湯用熱交換器２１にて加熱された先行湯張り設定温度（例えば３５℃）の温水を給湯路２０から湯張り路５０、浴槽水循環路３８の順に通流させて浴槽２２に供給するように構成されている。運転制御装置４８は、水位センサ５２の検出情報に基づいて、浴槽水Ａ４の貯留量が湯張り設定量となると、浴槽２２の湯張り状態が先行湯張り状態になったとして、湯張り弁５１を閉弁し且つ蓄熱水循環手段３を作動停止させて先行湯張り運転を終了する。
【００４０】
図４では、温水供給手段４９を追焚き作動させた場合を示している。
運転制御装置４８が、蓄熱水循環手段３を全通流状態にて作動させるとともに、浴槽水循環ポンプ４０を作動させることにより、浴槽２２と追焚き用熱交換器２３との間で浴槽水Ａ４を循環させて追焚き用熱交換器２３において蓄熱水Ａ１にて浴槽水Ａ４を加熱して、その加熱された浴槽水Ａ４を浴槽２２に戻すように構成されている。運転制御装置４８は、浴槽水温度センサ３９の検出温度が先行湯張り設定温度（例えば３５℃）になると、浴槽２２の湯張り状態が先行湯張り状態になったとして、蓄熱水循環手段３及び浴槽水循環ポンプ４０を作動停止させて先行湯張り運転を終了する。
【００４１】
図５〜図７に基づいて熱電併給装置４を作動させている状態での先行湯張り運転を説明する。図５〜図７では、温水供給手段４９を湯張り作動させた場合を示している。温水供給手段４９を追焚き作動させる場合については、温水供給手段４９を湯張り作動させるか追焚き作動させるかが異なるだけであるので、図示及び説明は省略する。
【００４２】
図５では、第１蓄熱水温度センサ２５の検出温度が第１設定温度（例えば、６０℃）よりも高い場合を示している。
運転制御装置４８が、冷却水循環ポンプ８を作動させて排熱熱交換器５に冷却水Ａ２を通流させるとともに、冷却水戻り温度センサ１１の検出温度が設定温度範囲内になるように第１蓄熱水流量調整弁２７の開度を調整する蓄熱水流量調整制御を行うように構成されている。また、図３で示した場合と同様に、運転制御装置４８は、風呂給湯温度用蓄熱水流量制御、及び、風呂給湯制御を行うように構成されている。
蓄熱水循環手段３については、蓄熱水流量センサ２９の検出流量が給湯用熱交換器２１にて要求されている流量を満たすときには、運転制御装置４８が蓄熱水循環手段３を全通流状態に切り換え、蓄熱水流量センサ２９の検出流量が給湯用熱交換器２１にて要求されている流量に満たないときには、運転制御装置４８がバイパス路調整弁１８を開弁して蓄熱水循環手段３を一部通流状態に切り換えるように構成されている。図５では、蓄熱水循環手段３を一部通流状態に切り換えた場合を示している。
【００４３】
図６では、第１蓄熱水温度センサ２５の検出温度が第１設定温度よりも高い第２設定温度（例えば、７５℃）以上の場合を示している。
運転制御装置４８が、蓄熱水循環手段３を全通流状態にて作動させるとともに、冷却水循環ポンプ８を作動させて排熱熱交換器５に冷却水Ａ２を通流させるとともに、蓄熱水流量調整制御を行うように構成されている。また、運転制御装置４８は、風呂給湯温度用蓄熱水流量制御、及び、風呂給湯制御を行うように構成されている。
この場合には、第１蓄熱水温度センサ２５の検出温度が第２設定温度（例えば、７５℃）以上であるので、蓄熱水流量調整制御を行っても、冷却水戻り温度センサ１１の検出温度が設定温度範囲よりも高くなってしまう場合がある。そこで、運転制御装置４８は、蓄熱水戻し調整弁４７を開弁して、蓄熱槽１の上部から取り出した高温の蓄熱水Ａ１に蓄熱槽バイパス路４５からの低温の蓄熱水Ａ１を混合させて排熱熱交換器５に通流する蓄熱水Ａ１の温度を低下させるように構成されている。
【００４４】
図７では、第１蓄熱水温度センサ２５の検出温度が第１設定温度（例えば、６０℃）以下の場合を示している。
運転制御装置４８が、第１蓄熱水流量調整弁２７、第２蓄熱水流量調整弁３０、及び、バイパス路調整弁１８の夫々を開弁して蓄熱水循環手段３を一部通流状態に切り換え、冷却水循環ポンプ８を作動させて排熱熱交換器５に冷却水Ａ２を通流させるとともに、蓄熱水流量調整制御を行うように構成されている。そして、運転制御装置４８は、燃料ガス調整弁１８を開弁させて補助加熱手段１４を加熱作動させるように構成されている。また、運転制御装置４８は、風呂給湯温度用蓄熱水流量制御、及び、風呂給湯制御を行うように構成されている。
【００４５】
（湯張り運転）
図４に示すように、運転制御装置４８は、蓄熱水循環手段３を全通流状態にて作動させるとともに、浴槽水循環ポンプ４０を作動させることにより、浴槽２２と追焚き用熱交換器２３との間で浴槽水Ａ４を循環させて追焚き用熱交換器２３において蓄熱水Ａ１にて浴槽水Ａ４を加熱して、その加熱された浴槽水Ａ４を浴槽２２に戻すように構成されている。このように、運転制御装置４８は、温水供給手段４９を追焚き作動させて湯張り運転を行うように構成されている。運転制御装置４８は、浴槽水温度センサ３９の検出温度が湯張り設定温度（例えば４２℃）になると、蓄熱水循環手段３及び浴槽水循環ポンプ４０を作動停止させて湯張り運転を終了する。
【００４６】
図４では、熱電併給装置４を作動させていない状態での湯張り運転を示しているが、熱電併給装置４を作動させている状態で湯張り運転を行うこともできる。つまり、図５〜図７では、温水供給手段４９を湯張り作動させているが、図５〜図７において、温水供給手段４９を追焚き作動（図４の太線部）を作動させることになる。
【００４７】
上述の如く、浴槽２２の湯張り状態を目標湯張り状態とするに当り、運転制御装置４８は、まず先行湯張り運転を行い、その後湯張り運転を行っているが、先行湯張り運転をどのタイミングにて行うかについて説明する。
運転制御装置４８は、蓄熱運転を行うことが予測される時間帯の以前に先行湯張り運転を行うように構成されている。
【００４８】
運転制御装置４８は、１日の時系列的な電力負荷（例えば図２）を管理し、現在要求されている電力負荷に応じて熱電併給装置４を作動させて蓄熱運転を行っているので、時系列的な電力負荷が大きい時間帯が蓄熱運転を行う時間帯として予測できる。一方、浴槽２２の湯張り状態を目標湯張り状態とするのは熱負荷が大きくなる入浴時間帯であるので、運転制御装置４８は、管理している１日の時系列的な熱負荷（例えば図２）から、入浴時間帯を予測できる。したがって、運転制御装置４８は、予測した入浴時間帯よりも以前の時間帯で且つその後時系列的な電力負荷の増加が予想できる時間帯に先行湯張り運転を行うように構成されている。
例えば、図２においては、２０〜２１時に熱負荷が大きくなっているので、２０〜２１時を入浴時間帯と予測できる。そして、１７時以降に電力負荷が増大しているので、運転制御装置４８は、１７時から先行湯張り運転を行うようにしている。
【００４９】
また、運転制御装置４８は、先行湯張り運転を行ってから湯張り運転を行うまでの間に蓄熱運転を行うように構成されている。したがって、先行湯張り運転を行ってから湯張り運転を行うまでの間、熱電併給装置４の排熱を蓄熱槽に蓄熱することができる。そして、湯張り運転を行うときには、蓄熱槽１に十分な熱量を蓄熱させておくことができ、湯張り運転を的確に行うことができるとともに、余った熱を用いてシャワー等の給湯を行うことも可能となる。
【００５０】
このようにして、浴槽２２の湯張り状態を目標湯張り状態とするに当り、運転制御装置４８は、予測した入浴時間帯よりも以前の時間帯で且つその後時系列的な電力負荷の増加が予想できる時間帯に先行湯張り運転を行い、その先行湯張り運転を終了するとともに蓄熱運転を行うように構成されている。そして、運転制御装置４８は、実際に入浴者が入浴して入浴指令を与えるまで蓄熱運転を継続し、入浴指令が指令されると、湯張り運転を行うように構成されている。
【００５１】
図８の実験結果に基づいて本発明に係る風呂装置の効果について説明する。
図８は、蓄熱運転の終了後、先行湯張り運転と湯張り運転とを行い、先行湯張り運転を行ってから湯張り運転を行うまでの間に蓄熱運転を行ったときに、浴槽水温度センサ３９の検出温度（図中実線）と第１蓄熱水温度センサ２５の検出温度（図中点線）との変化を示している。先行湯張り運転は、浴槽２２に３５℃の温水を１８０リットル供給するように温水供給手段４９を湯張り作動させている。蓄熱運転は、排熱熱交換器５の負荷を約３ｋＷとして約２時間行っている。湯張り運転は、浴槽水温度センサ３９の検出温度（図中実線）が３５℃から４２℃になるように約７分間行っている。ちなみに、この湯張り運転では、蓄熱槽１の下部に戻す蓄熱水Ａ１の温度が４３〜４８℃になるように、第２蓄熱水流量調整弁３０の開度を調整している。
【００５２】
図８に示すように、先行湯張り運転を行ってから湯張り運転を行うまでの間、浴槽水温度センサ３９の検出温度（図中実線）は３５℃で殆ど変化がなく、先行湯張り運転により浴槽２に供給した温水は湯張り運転を行うまで殆ど放熱されないことがわかった。したがって、先行湯張り運転を行うことにより、浴槽２２を蓄熱槽として有効に利用できる。
湯張り運転の直後に、給湯設定温度を４３℃として給湯路２０から給湯する後述の給湯運転を行った。第１蓄熱水温度センサ２５の検出温度（図中点線）が４８度以下になるまで約１０分間確保できているので、湯張り運転を行った直後でも、給湯設定温度を４３℃とする給湯運転を約１０分間行えることが分かった。したがって、湯張り運転を行った直後に、蓄熱槽１の蓄熱水Ａ１を用いてシャワー等の給湯を行うことができる。
【００５３】
運転制御装置４８は、蓄熱槽１の蓄熱水Ａ１を用いて放熱する運転として、先行湯張り運転及び湯張り運転に加えて、蓄熱槽１の蓄熱水Ａ１を用いて給湯路２０から給湯する給湯運転、及び、蓄熱槽１の蓄熱水Ａ１を用いて暖房用放熱器２４において放熱する暖房運転を行うように構成されている。
【００５４】
（給湯運転）
図９に基づいて給湯運転について説明する。
運転制御装置４８が、蓄熱水循環手段３を全通流状態に切り換えるとともに、出口温度センサ３３の検出温度が給湯設定温度＋αになるように、蓄熱水流量センサ２９の検出流量に基づいて第２蓄熱水流量調整弁３０の開度を調整する給湯温度用蓄熱水流量制御を行うように構成されている。また、運転制御装置４８は、給湯量センサ３４の検出流量が要求されている給湯量となり且つ給湯温度センサ３５の検出温度が給湯設定温度になるように、給湯流量調整弁３２及びバイパス流量調整弁３７の開度を調整する給湯制御を行うように構成されている。
図９では、熱電併給装置４が作動されていない状態での給湯運転を示しているが、先行湯張り運転及び湯張り運転の夫々と同様に、熱電併給装置４が作動されているときに給湯運転を行うこともできる。
【００５５】
（暖房運転）
図１０及び図１１に基づいて暖房運転について説明する。
図１０では、第１蓄熱水温度センサ２５の検出温度が暖房用蓄熱水設定温度（例えば６０℃）以上のときに熱電併給装置４を作動させて暖房運転を行う場合を示している。
運転制御装置４８が、第１蓄熱水流量調整弁２７を開弁し且つ第２蓄熱水流量調整弁３０及びバイパス路調整弁１８の夫々を閉弁して蓄熱水循環手段３を全通流状態に切り換え、冷却水循環ポンプ８を作動させて排熱熱交換器５に冷却水Ａ２を通流させるとともに、蓄熱水流量調整制御を行うように構成されている。このときには、第２蓄熱水流量調整弁３０を閉弁しているので、排熱熱交換器５を通過した後の蓄熱水Ａ１は、排熱熱交換器バイパス路１３に通流したのち暖房用通流路４１に通流して暖房用放熱器２４に通流する。この場合には、第１蓄熱水温度センサ２５の検出温度が暖房用蓄熱水設定温度（例えば６０℃）以上であるので、蓄熱水流量調整制御を行っても、冷却水戻り温度センサ１１の検出温度が設定温度範囲よりも高くなってしまう場合がある。そこで、運転制御装置４８は、蓄熱水戻し調整弁４７を開弁して蓄熱槽バイパス路通流手段を通流作動させ、蓄熱槽１の上部から取り出した高温の蓄熱水Ａ１に蓄熱槽バイパス路４５からの低温の蓄熱水Ａ１を混合させて排熱熱交換器５に通流する蓄熱水Ａ１の温度を低下させるように構成されている。
【００５６】
運転制御装置４８は、熱動弁４３を開弁して暖房用放熱器２４に蓄熱水Ａ１を通流させる通流状態を設定開弁時間（例えば、３分）継続した後、熱動弁４３を閉弁して暖房用放熱器２４に対する蓄熱水Ａ１の通流を停止させる通流停止状態を設定閉弁時間（例えば、１７分）の間継続させる動作を設定周期（例えば、２０分）で繰り返し行うように構成されている。そして、運転制御装置４８は、通流停止状態を設定閉弁時間（例えば、１７分）の間継続させているときに、図１に示すように、第２蓄熱水流量調整弁３０を開弁させて排熱熱交換器５を通過した後の蓄熱水Ａ１を蓄熱槽１の下部に戻すことにより蓄熱槽１への蓄熱を行うように構成されている。このようにして、熱電併給装置４の排熱を有効に活用して、暖房運転を行いながら蓄熱運転を間欠的に行うことができるので、省エネルギー化を図ることができる。
【００５７】
図１１では、第１蓄熱水温度センサ２５の検出温度が暖房用蓄熱水設定温度（例えば、６０℃）未満のときに熱電併給装置４を作動させて暖房運転を行う場合を示している。
図１０にて説明したのと同様に、運転制御装置４８が、第１蓄熱水流量調整弁２７を開弁し且つ第２蓄熱水流量調整弁３０及びバイパス路調整弁１８の夫々を閉弁して蓄熱水循環手段３を全通流状態に切り換え、冷却水循環ポンプ８を作動させて排熱熱交換器５に冷却水Ａ２を通流させるとともに、蓄熱水流量調整制御を行うように構成されている。この場合には、第１蓄熱水温度センサ２５の検出温度が暖房用蓄熱水設定温度（例えば、７０℃）未満であるので、暖房往き温度センサ４２の検出温度が暖房設定温度（例えば、６０℃）に満たない場合がある。そこで、運転制御装置４８は、蓄熱水戻し調整弁４７を開弁して蓄熱槽バイパス路通流手段を通流作動させ、蓄熱槽１の上部から取り出した低温の蓄熱水Ａ１に蓄熱槽バイパス路４５からの高温の蓄熱水Ａ１を混合させて排熱熱交換器５に通流する蓄熱水Ａ１の温度を上昇させるように構成されている。また、運転制御装置４８は、この通流作動を行っても暖房往き温度センサ４２の検出温度が暖房設定温度（例えば６０℃）に満たないときには、バイパス路調整弁１８を開弁して蓄熱水循環手段３を一部通流状態に切り換えるとともに、燃料ガス調整弁１８を開弁させて補助加熱手段１４を加熱作動させるように構成されている。
【００５８】
この場合も、図１０にて説明したのと同様に、運転制御装置４８は、通流状態を設定開弁時間（例えば、３分）継続した後、通流停止状態を設定閉弁時間（例えば、１７分）の間継続させる動作を設定周期（例えば、２０分）で繰り返し行うように構成されている。そして、運転制御装置４８は、通流停止状態を設定閉弁時間（例えば、１７分）の間継続させているときに、図１に示すように、第２蓄熱水流量調整弁３０を開弁させて排熱熱交換器５を通過した後の蓄熱水Ａ１を蓄熱槽１の下部に戻すことにより蓄熱槽１への蓄熱を行うように構成されている。
【００５９】
〔別実施形態〕
（１）上記実施形態では、運転制御装置４８が蓄熱運転を行うことにより、熱電併給装置４の排熱を蓄熱槽１に蓄熱するようにしているが、熱電併給装置４以外の熱を蓄熱槽１に蓄熱することもできる。
【００６０】
（２）上記実施形態では、運転制御装置４８が、時系列的な電力負荷及び時系列的な熱負荷に基づいて蓄熱運転を行うようにしているが、どのようなタイミングに蓄熱運転を行うかは適宜変更が可能である。
【００６１】
（３）上記実施形態では、運転制御装置４８が、蓄熱運転を行うことが予測される時間帯の以前に先行湯張り運転を行うようにしているが、例えば、使用者が入浴時間を設定すると、その入浴時間よりも設定時間だけ以前の時間帯に先行湯張り運転を行うこともでき、どのようなタイミングに湯張り運転を行うかは適宜変更が可能である。
【００６２】
（４）上記実施形態では、先行湯張り状態を、目標湯張り状態に対して浴槽水Ａ４の貯留量が同量で且つ目標湯張り状態に対して浴槽水Ａ４の温度が低温となるように設定しているが、例えば、目標湯張り状態に対して浴槽水Ａ４の貯留量を少量とし且つ目標湯張り状態に対して浴槽水Ａ４の温度が低温となるように設定することもでき、先行湯張り状態における温度及び貯留量をどのように設定するかは適宜変更が可能である。
また、先行湯張り状態については、一定の温度及び貯留量とするのではなく、例えば、蓄熱槽１の蓄熱量に応じて変更自在とすることもできる。つまり、蓄熱槽１の蓄熱量が多いほど、行湯張り状態をより高温で且つより多量の貯留量とすることにより、蓄熱槽１に蓄熱されている熱をできるだけ浴槽２２に貯めておくことができ、浴槽２２を蓄熱槽として有効に活用できる。
【００６３】
（５）上記実施形態では、給湯用熱交換器２１と追焚き用熱交換器２３とを直列状態で設けているが、給湯用熱交換器２１と追焚き用熱交換器２３とを並列状態で設けることもできる。
【産業上の利用可能性】
【００６４】
本発明は、蓄熱槽の蓄熱水を用いて温水を浴槽に供給する温水供給作動を行う温水供給手段と、浴槽の湯張り状態が目標湯張り状態となるように温水供給手段を温水供給作動させる湯張り運転を行う運転制御手段とが設けられ、蓄熱槽の小型化を図りながら、浴槽の湯張り状態を目標湯張り状態とすることができる各種の風呂装置に適応可能である。
【図面の簡単な説明】
【００６５】
【図１】蓄熱運転における風呂装置の状態を示す図
【図２】時系列的な熱負荷及び時系列的な電力負荷を示す図
【図３】先行湯張り運転における風呂装置の状態を示す図
【図４】先行湯張り運転及び湯張り運転における風呂装置の状態を示す図
【図５】先行湯張り運転における風呂装置の状態を示す図
【図６】先行湯張り運転における風呂装置の状態を示す図
【図７】先行湯張り運転における風呂装置の状態を示す図
【図８】本発明に係る風呂装置の実験結果を示すグラフ
【図９】給湯運転における風呂装置の状態を示す図
【図１０】暖房運転における風呂装置の状態を示す図
【図１１】暖房運転における風呂装置の状態を示す図
【符号の説明】
【００６６】
１          蓄熱槽
２          循環路
３          蓄熱水循環手段
５          排熱熱交換器
２１        温水用熱交換器（給湯用熱交換器）
２３        追焚き用熱交換器
２２        浴槽
３８        浴槽水循環手段（浴槽水循環路）
４０        浴槽水循環手段（浴槽水循環ポンプ）
４８        運転制御装置
４９        温水供給手段
Ａ１        蓄熱水
Ａ３        給水
Ａ４        浴槽水
【図１】
2008241126.tif 000003
【図２】
2008241126.tif 000004
【図３】
2008241126.tif 000005
【図４】
2008241126.tif 000006
【図５】
2008241126.tif 000007
【図６】
2008241126.tif 000008
【図７】
2008241126.tif 000009
【図８】
2008241126.tif 000010
【図９】
2008241126.tif 000011
【図１０】
2008241126.tif 000012
【図１１】
2008241126.tif 000013